(57)【要約】  オンデマンドスアクセスのためにシステム及び方法が提供される。デバイスによって実施可能な例示的なネットワークオンデマンドスアクセス方法は、前記デバイスのアンテナによりウェイクアップ信号を受信することと、受信した前記ウェイクアップ信号から電力を導出することと、導出された電力を使用して受信した前記ウェイクアップ信号が前記デバイスに対応するかどうかを判定することと、受信した前記ウェイクアップ信号が前記デバイスに対応するという判定に応答して、前記デバイスをアクティブ電力モードに設定することとを備える。【選択図】図１
2019535152.tif 000002
【特許請求の範囲】
【請求項１】
前記デバイスのアンテナによりウェイクアップ信号を受信することと、
受信した前記ウェイクアップ信号から電力を導出することと、
受信した前記ウェイクアップ信号が前記デバイスに対応するかどうかを判定することと、
受信した前記ウェイクアップ信号が前記デバイスに対応するという判定に応答して、前記デバイスをアクティブ電力モードに設定することとを備え、
前記判定には、少なくとも受信した前記ウェイクアップ信号から導出された前記電力が使用されることを特徴とするデバイスによって実行可能なネットワークオンデマンドアクセス方法。
【請求項２】
前記受信した電力及び前記導出された電力は、前記デバイスがスリープ電力モードにある間に実行されることを特徴とする請求項１に記載のデバイスによって実行可能なネットワークオンデマンドアクセス方法。
【請求項３】
受信した前記ウェイクアップ信号が前記デバイスに対応しないという判定に応答して、前記デバイスをスリープ電力モードにしたままにすることを特徴とする請求項１に記載のデバイスによって実行可能なネットワークオンデマンドアクセス方法。
【請求項４】
受信した前記ウェイクアップ信号が前記デバイスに対応するかどうかを判定することは、
前記ウェイクアップ信号から識別コードを取得することと、
前記ウェイクアップ信号から取得された識別コードを前記デバイスの識別コードと比較することと、
取得された識別コードが前記デバイスの識別コードと一致する場合、受信した前記ウェイクアップ信号が前記デバイスに対応すると判定することとを備えることを特徴とする請求項１に記載のデバイスによって実行可能なネットワークオンデマンドアクセス方法。
【請求項５】
前記ウェイクアップ信号から識別コードを取得することは、復号化受信した前記ウェイクアップ信号を復号して１つまたは複数の周波数の組み合わせを取得し、組み合わせごとに１つの識別コードに対応することを備えることを特徴とする請求項４に記載のデバイスによって実行可能なネットワークオンデマンドアクセス方法。
【請求項６】
受信した前記ウェイクアップ信号から前記電力を導出することは、受信した前記ウェイクアップ信号をＤＣ電力に変換することを備えることを特徴とする請求項１に記載のデバイスによって実行可能なネットワークオンデマンドアクセス方法。
【請求項７】
受信した前記ウェイクアップ信号が前記デバイスに対応するかどうかを判定することは、
前記ＤＣ電力をしきい値と比較することと、
前記ＤＣ電力が前記しきい値を超えるという判定に応答して、前記ウェイクアップ信号が前記デバイスに対応すると判定することとを備えることを特徴とする請求項６に記載のデバイスによって実行可能なネットワークオンデマンドアクセス方法。
【請求項８】
受信した前記ウェイクアップ信号から電力を導出することは、
受信した前記ウェイクアップ信号をＤＣ電力に変換し、受信した前記ウェイクアップ信号が前記デバイスに対応するかどうかを判定するために、ＤＣ電力を論理回路に印加するすることを備えることを特徴とする請求項１に記載のデバイスによって実行可能なネットワークオンデマンドアクセス方法。
【請求項９】
前記デバイスは、受信した前記ウェイクアップ信号に基づく信号を反射しないことを特徴とする請求項１に記載のデバイスによって実行可能なネットワークオンデマンドアクセス方法。
【請求項１０】
前記デバイスは携帯電話であり、
前記ウェイクアップ信号を受信することは、１つ以上の通信ノードから前記ウェイクアップ信号を受信することを備えることを特徴とする請求項１に記載のデバイスによって実行可能なネットワークオンデマンドアクセス方法。
【請求項１１】
前記デバイスをアクティブ電力モードに設定するために電源から電力を供給することを特徴とする請求項１に記載のデバイスによって実行可能なネットワークオンデマンドアクセス方法。
【請求項１２】
受信した前記ウェイクアップ信号が前記デバイスに対応するかどうかを判定することは、
受信した前記ウェイクアップ信号が前記デバイスに対応するかどうかを判定することを備え、
前記判定には、電源からの電力供給なしに受信した前記ウェイクアップ信号から導出された前記電力が使用されることを特徴とする請求項１に記載のデバイスによって実行可能なネットワークオンデマンドアクセス方法。
【請求項１３】
受信した前記ウェイクアップ信号が前記デバイスに対応するかどうかを判定することは、受信した前記ウェイクアップ信号が前記デバイスに対応するかどうかを判定することを備え、
前記判定には、少なくとも受信した前記ウェイクアップ信号から導出された前記電力と１０ｄＢｍ未満の電源が使用されることを特徴とする請求項１に記載のデバイスによって実行可能なネットワークオンデマンドアクセス方法。
【請求項１４】
受信した前記ウェイクアップ信号が前記デバイスに対応するかどうかを判定することは、受信した前記ウェイクアップ信号が前記デバイスに対応するかどうかを判定することを備え、
前記判定には、少なくとも受信した前記ウェイクアップ信号から導出された前記電力と１ｄＢｍ未満の電源が使用されることを特徴とする請求項１に記載のデバイスによって実行可能なネットワークオンデマンドアクセス方法。
【請求項１５】
信号を受信するように構成されたアンテナと、
受信した前記信号から電力を駆動するように構成された整流回路と、
受信した前記信号が前記デバイスに対応するかどうかを判定する論理回路と、
受信した前記信号が前記デバイスに対応するという判定に応答して、前記デバイスをアクティブモードに設定するように構成された制御回路とを備えることを特徴とするデバイス。
【請求項１６】
受信した前記信号から電力を駆動するするために、前記整流回路は、受信した前記信号をＤＣ電力に変換するように構成されることを特徴とする請求項１５に記載のデバイス。
【請求項１７】
前記論理回路は、前記デバイスがスリープモードにある間に受信した前記信号が前記デバイスに対応するかどうかを判定するように構成されることを特徴とする請求項１５に記載のデバイス。
【請求項１８】
前記制御回は、受信した前記信号が前記デバイスに対応していないという判定に応答して、前記デバイスをスリープ電力モードににしておくようにさらに構成されることを特徴とする請求項１５に記載のデバイス。
【請求項１９】
受信した前記信号が前記デバイスに対応するかどうかを判定するために、前記論理回路は次のように構成され、
前記信号から識別コードを取得し、
前記信号から取得された識別コードを前記デバイスの識別コードと比較し、
取得された前記識別コードが前記デバイスの識別コードと一致する場合、受信した前記ウェイクアップ信号が前記デバイスに対応すると判定することを特徴とする請求項１５に記載のデバイス。
【請求項２０】
前記論理回路はさらに、受信した前記信号が前記デバイスに対応するかどうかを判定するために前記整流回路からのみ電力を導出するように構成されることを特徴とする請求項１５に記載のデバイス。
【請求項２１】
受信した前記信号が前記デバイスに対応するかどうかを判定するために、前記論理回路に１０ｄＢｍ未満を供給するように構成された電源をさらに備えることを特徴とする請求項１５に記載のデバイス。
【請求項２２】
前記制御回路は、前記デバイスをアクティブモードに設定するために前記整流回路からのみ電力を導出するように構成されることを特徴とする請求項１５に記載のデバイス。
【請求項２３】
デバイスがスリープ電力モードにある間に信号を受信することと、
受信した前記信号を整流してＤＣ電力を導出することと、
導出された前記ＤＣ電力を使用して、受信した前記信号が前記デバイスに対応するかどうかを判定するすることと、
受信した前記信号が前記デバイスに対応するという判定に応答して、導出された前記ＤＣ電力を使用して、前記デバイスをアクティブ電力モードに設定することとを備えることを特徴とするデバイスによって実行するネットワークオンデマンドスアクセス方法。
【発明の詳細な説明】
【技術分野】
【０００１】
本発明は、一般に、通信における電力節約のための手法および技法に関する。
【０００２】
［関連出願の相互参照］
本出願は、２０１６年８月１１日に出願された「オンデマンドモバイルデバイススアクセスのための方法及び装置」と題する米国仮特許出願第６２/３７３,８１８号の関連出願であり、この仮出願に基づく優先権を主張する。
【背景技術】
【０００３】
通信において、電力節約はシステムおよび製品設計における重要な要素である。例えば、携帯電話、パッド、およびスマートデバイスなどの様々な電子デバイスは、可能な限り少ない電力を消費することが要求され得る。
【発明の概要】
【発明が解決しようとする課題】
【０００４】
本発明の様々な実施形態は、オンデマンドで通信ネットワークにアクセスするように構成されたシステム、方法、および非一時的コンピュータ可読媒体を含むことができる。
【課題を解決するための手段】
【０００５】
いくつかの実施形態では、ネットワークオンデマンドスアクセス（ｎｅｔｗｏｒｋ ｏｎ−ｄｅｍａｎｄ ａｃｃｅｓｓ）方法は、デバイスによって実施可能であり得、前記デバイスのアンテナによりウェイクアップ信号を受信するステップと、受信した前記ウェイクアップ信号から電力を導出することと、受信した前記ウェイクアップ信号が前記デバイスに対応するかどうかを判定することと、受信した前記ウェイクアップ信号が前記デバイスに対応するという判定に応答して、前記デバイスをアクティブ電力モードに設定することとを備え、前記判定は、少なくとも受信した前記ウェイクアップ信号から導出された前記電力を使用する。
【０００６】
いくつかの実施形態では、前記ネットワークオンデマンドスアクセス方法では、受信した前記信号のどの部分も前記デバイスに対応していないと判定したことに応答して、前記デバイスをスリープ電力モードにしたままにする。 
【０００７】
いくつかの実施形態では、受信した前記ウェイクアップ信号が前記デバイスに対応するかどうかを判定することは、電源からの電力供給なしに受信した前記ウェイクアップ信号から導出された前記電力を使用することができる。 
【０００８】
いくつかの実施形態では、ネットワークオンデマンドスアクセスデバイスは、信号を受信するように構成されたアンテナと、受信した前記信号から電力を駆動するように構成された整流回路と、受信した前記信号が前記デバイスに対応するかどうかを判定する論理回路と、受信した前記信号が前記デバイスに対応するという判定に応答して、前記デバイスをアクティブモードに設定するように構成された制御回路とを備える。 
【０００９】
いくつかの実施形態では、ネットワークオンデマンドスアクセス方法は、デバイスがスリープ電力モードにある間に信号を受信することと、受信した前記信号を整流してＤＣ電力を導出することと、導出された前記ＤＣ電力を使用して、受信した前記信号が前記デバイスに対応するかどうかを判定することと、受信した前記信号が前記デバイスに対応するという判定に応答して、導出された前記ＤＣ電力を使用して、前記デバイスをアクティブ電力モードに設定することとを備える。 
【００１０】
本明細書に開示されるシステム、方法、および非一時的コンピュータ可読媒体のこれらおよび他の特徴、ならびに構造の関連要素の動作方法および機能、ならびに部品の組み合わせおよび製造の経済性は、より明らかになるであろう。添付の図面を参照しながら以下の説明および添付の特許請求の範囲を検討すると、これらの図面のすべては本明細書の一部を形成し、様々な図面において同様の参照符号は対応する部分を示す。しかしながら、図面は例示および説明のみを目的としており、本発明の範囲を定義することを意図していないことを明確に理解されたい。
【００１１】
本技術の様々な実施形態のいくつかの特徴は、添付の特許請求の範囲に詳細に記載されている。本技術の特徴および利点のより良い理解は、本発明の原理が利用される例示的な実施形態を説明する以下の詳細な説明、および添付の図面を参照することによって得られるであろう。 
【図面の簡単な説明】
【００１２】
【図１】本発明の例示的実施形態と一致する、ネットワークオンデマンドスアクセスのためのデバイスの時系列図である。
【図２】本発明の例示的実施形態と一致する、ネットワークオンデマンドスアクセスのためのデバイスを示す回路図である。
【図３】本発明の例示的実施形態と一致する、ネットワークオンデマンドスアクセスのためのシステムを示すグラフ図である。
【図４Ａ】本発明の例示的実施形態と一致する、ネットワークオンデマンドスアクセスのための方法を示す流れ図である。
【図４Ｂ】本発明の例示的実施形態と一致する、ネットワークオンデマンドスアクセスのための別の方法を示す流れ図である。
【図４Ｃ】本発明の例示的実施形態と一致する、ネットワークオンデマンドスアクセスのための別の方法を示す流れ図である。
【図５】本明細書に記載の実施形態のうちのいずれかを実施することができる例示的なシステムのブロック図である。
【発明を実施するための形態】
【００１３】
通信および他の様々な用途において、省電力は、ユーザ機器（ＵＥ）のデバイスの設計および開発にとって大きな関心事である。ＵＥデバイス（例えば、携帯電話、パッド、ポケットベル、コンピュータ、スマートデバイス、センサなど）は、様々なチャネル（例えば、Ｗｉ-Ｆｉ、４Ｇ、５Ｇ、ＬＴＥ、ＢＬＵＥｔｏｏｔｈ、Ｚｉｇｂｅｅなど）を介してデータ、情報、および信号を送受信するために使用され得る。高速データ送信または受信はより高い電力消費を必要とする。省電力は、データをアクティブ的に送信または受信していないとき、すなわち、スリープ電力モード（「スリープモード」とも呼ばれることがある）に入るときに、制御された方法でＵＥデバイスの全部または一部の電源を切ることによって達成される。用語「スリープ電力モード」は、同じＵＥ状態を指す他の同様の用語を含み得る。 
【００１４】
現在の技術では、アイドルモードおよび不連続受信（接続モード内のＤＲＸ）が電力節約のために提供されている。ＵＥは、もはやアクティブにｅＮＢ（４Ｇにおける発展型ノードＢ、ＵＥをネットワークに接続するハードウェアである。５Ｇでは、同様のハードウェアがｇＮＢとして知られている）に接続されていないアイドルモードに入ることができる。例えば、携帯電話の電源が入ったばかりでデータ交換操作が行われていないとき、携帯電話はネットワークに接続されておらずアイドルモードにあり、ユーザがアプリケーションを利用してネットワーク（ＬＴＥなど）とデータを交換を開始すると接続モードに入る。それにもかかわらず、アイドルモードでは、ネットワーク依然としてページングを通じてＵＥを追跡することができる。各ページングサイクル中に、ｅＮＢは、ページングオケージョンと呼ばれる既知の期間にページングメッセージを送信することができる。ＵＥは、ページングオケージョンにスリープ電力モードからウェイクアップし、ページングメッセージを聴取して（ｌｉｓｔｅｎ）それがページングされているかどうかを確認することができる。このようなページングオケージョン-非ページング（アクティブ-スリープ）サイクルが繰り返され、これは以下に説明されるＤＲＸサイクルと同様であり得る。 
【００１５】
接続モードでは、ｅＮＢによって指示されるように、ＤＲＸは、ＵＥが所定の間隔の間パワーダウンすることを可能にすることによって電力を節約することを可能にされ得る。例えば、携帯電話がインターネットを閲覧するために使用されるとき、当該携帯電話はネットワークに接続され、データが交換されるが、携帯電話が使用されずさらなるデータ交換が実行されないとき、当該携帯電話はＤＲＸサイクルに入る。ユーザは、データを送信または受信するためにＵＥ（例えば、携帯電話）を操作することができ、ＵＥが接続モードにあるとき、ＵＥと１つまたは複数の通信ノードとの間のそのような通信は「トラフィック」によって表すことができる。しばらくして、ユーザはＵＥを脇に置いておき、非アクティブタイマーが作動してもよい。非アクティブタイマー条件が満たされると、ＤＲＸサイクルが開始してもよい。ＤＲＸサイクルでは、ＵＥデバイスは依然としてネットワークに接続されており、周期的にウェイクアップして制御チャネルを聴取することができる（例えば、着信通信またはＰＤＣＣＨ（物理ダウンリンク制御チャネル）からのデータを聴取する）。すなわち、ＵＥデバイスは、特定の時間間隔で、基地局（例えば、ｅＮＢ、電気通信タワー、アンテナなど）などの通信ノードと積極的にウェイクアップし、依然として通信している可能性がある。ＤＲＸ ＯＮの間、ＵＥはデータおよび制御アクティビティについて制御チャネルを監視し、ｅＮＢはＵＥとデータを交換することができる。ＤＲＸ ＯＦＦの間、ＵＥは、スリープ電力モードに入ることができ、そしてｅＮＢは、いかなるデータもＵＥに送信することができない。ＵＥがＵＬ（アップリンク）データを送信するか、またはＤＬ（ダウンリンク）データを受信すると、すぐに、ＤＲＸは終了する。ＵＥは、接続モード（スリープ状態であっても）でネットワークに接続し、アイドルモードでネットワークに接続しない。したがって、接続モードのＵＥの場合、スリープモードは依然としてデータを交換しながら電力を節約する。 
【００１６】
着信メッセージまたはコール（ｃａｌｌ）の著しい遅延を防止するために、スリープモードの時間間隔は通常、数十または数百ミリ秒に設定され、これはユーザに気付かれることはほとんどない。しかしながら、この頻繁なウェイクアップ時間間隔は、アイドルモードと接続モードの両方において、時間の経過と共に端末デバイスに著しい電力消費を引き起こす可能性がある。したがって、ＵＥデバイスのユーザビリティを改善するために、エネルギー効率の良いウェイクアップおよびページング方法およびシステムを提供することが望ましい。 
【００１７】
開示されたシステムは、（例えば、接続モードおよびアイドルモードにおける）電力消費をさらに最小限に抑えることを含めて、効率的なネットワークアクセスをサポートし、先行技術における１つまたは複数の問題を軽減または克服することができる。このような方法およびシステムは、本開示ではネットワークオンデマンドアクセスとも呼ばれることがある。開示されたシステムおよび方法は、受動的なトリガリングを介してＵＥのさらなる省電力化を達成することができる。すなわち、ウェイクアップ信号によってトリガされない限り、ＵＥはスリープモードに留まることができる。ウェイクアップ信号は、ＵＥから生成することができ（例えば、ＵＥがウェイクアップしてＵＬ送信を要求するように、より高いレイヤからのＵＬデータ到着）、及び／又はＵＥによって受信することができる（例えば、ネットワークはオンデマンドでＵＥをウェイクアップして、ＤＬデータを送信したり、システム情報の変更を実行する）。図１に示すように、いくつかの実施形態では、通信ノード（例えば、ｇＮＢ）は、データ（例えば、ＤＬデータ）をスリープ電力モードにありえるＵＥに送信する必要があり得る。通信ノードは、信号（例えば、ウェイクアップ信号）をＵＥに送信することができる。ＵＥデバイスは、スリープ電力モードからウェイクアップされ、非スリープ電力モード（例えば、アクティブモード）にあり、データトラフィックを送信または受信することができる。例えば、ＵＥは、通信ノードをページングし、ＰＤＣＣＨ復号化を実行し、そしてＰＤＳＣＨ（物理ダウンリンク共有チャネル）復号化を実行することができる。ＵＥデバイスは、データ受信を完了した後に（例えば、非活動タイマーがトリガしたときに）スリープモードに戻ることができる。いくつかの実施形態では、ネットワークオンデマンドアクセス方法は、デバイス（例えば、ＵＥデバイス）によって実装可能であり得、信号（たとえば、通信ノードからのウェイクアップ信号）を受信し、受信したウェイクアップから電力を導出することを含み得る。前記ＵＥデバイスは、導出された電力を使用して、受信されたウェイクアップ信号がＵＥデバイスに対応しているかどうかを判定する。受信したウェイクアップ信号が前記デバイスに対応するという判定に応答して、前記デバイスをアクティブ電力モードに設定する。
【００１８】
したがって、開示されたシステムおよび方法は、ＤＲＸサイクル（接続モードの場合には）における周期的なウェイクアップおよびページングオケージョン（アイドルモードの場合には）を不要にする。ネットワークとのインタラクションに使用されていないとき、ＵＥデバイスを拡張されたスリープモードに置き、消費を最小限に抑える。アクティブ通信はウェイクアップ信号でトリガされる。 
【００１９】
いくつかの実施形態では、開示されたシステムおよび方法は、高い接続性を有するエリア内の高密度のＵＥデバイスをサポートすることができる。開示されたシステムおよび方法は、ニューラジオ（ＮＲ）システムまたは他の無線通信システムの一部として実施されてもよい。ＮＲシステムは、例えば、拡張モバイルブロードバンド（ｅＭＢＢ）、大規模機械タイプの通信、および超高信頼性および低遅延通信（ｕｌｔｒａ−ｒｅｌｉａｂｌｅ ａｎｄ ｌｏｗ ｌａｔｅｎｃｙ ｃｏｍｍｕｎｉｃａｔｉｏｎｓ，ＵＲＬＬＣ）を含むすべての使用シナリオに対処する単一の技術的枠組みの目的で１００ＧＨｚまでの周波数範囲を展開し得る。ＮＲシステムは、以前のサービスやＵＥへのアクセスに影響を与えることなく、将来のサービスや機能のスムーズな導入または統合を保証する。さらに、（ネットワークの観点から）同じＮＲキャリア帯域幅内で異なる数秘術（ｎｕｍｅｒｏｌｏｇｉｅｓ）を多重化することがサポートされ、周波数分割多重化（ＦＤＭ）および／または時分割多重化（ＴＤＭ）を使用することができる。 
【００２０】
したがって、開示されたシステムおよび方法は、大規模なマシンタイプの通信およびアイドルモードのＵＥネットワークアクセスを達成するのを助けることができる。ＮＲシステムの大容量機械型通信（ｍａｓｓｉｖｅ ｍａｃｈｉｎｅ ｔｙｐｅ ｃｏｍｍｕｎｉｃａｔｉｏｎ，ｍＭＴＣ）は、バッテリーの電力を１０〜１５年以上持続させることを目標としている。マシンタイプの通信は、パーキングメーター、ユーティリティメーター、コネクテッドカーなどの自動車用記録装置、モノのインターネット（ｉｎｔｅｒｎｅｔ ｏｆ ｔｈｉｎｇｓ，ＬＯＴ）、センサーネットワーク、自動ホームコントロールシステム、位置追跡デバイス、ウェアラブルデバイスなどとしても実装できる。例えば、生物医学センサ、通信装置（例えば、携帯電話、パッド）、コンピュータ、および電子識別システム。特に、開示されたシステムおよび方法は、既存の技術の欠点を克服し、効率的なネットワークアクセスを有するために、長期的なバッテリおよびｍＭＴＣデバイスまたはＵＥデバイスの効率的な動作を保証することができる。効率的なネットワークアクセスは、ｅＭＢＢおよびＵＲＬＬＣ展開シナリオにおけるスリープモードのＵＥデバイスのためのページング戦略にも適用される。本明細書に開示されているｍＭＴＣデバイスおよびＵＥデバイスは、携帯電話、ラップトップ、タブレット、パッド、データ端末などのモバイル端末を含み得る。 
【００２１】
図２は、本発明の例示的実施形態と一致する、ネットワークオンデマンドスアクセスのための受信機システム１００を示す回路図である。受信機システム１００はいくつかの構成要素を含むことができ、これらの構成要素のうちのいくつかは任意選択であり得る。いくつかの実施形態では、受信機システム１００は、図１に示すものよりもはるかに多くの構成要素を含み得る。しかしながら、例示的な実施形態を開示するためにこれらの構成要素の全てが示される必要はない。受信機システム１００は、システム１１０（例えば、携帯電話システムまたは別のＵＥシステム）に結合されるかまたはそれに取り付けられてもよく、または受信機システム１００はシステム１１０と統合されてもよい（例えば、受信機システム１００およびシステム１１０は端末デバイス上で実施される）。すなわち、受信機システム１００は、例えば、追加の回路を既存の携帯電話回路と統合することによって、既存の端末デバイス回路と統合することができる。いくつかの実施形態では、いくつかの実施形態では、受信機システム１００は、後方散乱技術を用いた端末デバイスの無線周波数識別（ｒａｄｉｏ ｆｒｅｑｕｅｎｃｙ ｉｄｅｎｔｉｆｉｃａｔｉｏｎ，ＲＦＩＤ）の受信機実装と同様であり得る。受信機システム１００はまた、後方散乱技術の受信機実装と呼ばれることもある。図２では、システム１１０とシステム１１０とを別々のシステムとして示しているが、受信機システム１００はまた、複数のサブコンポーネントに分割され、１つまたは複数の他のコンポーネントと統合されて、ＵＥ／端末デバイスを形成し得る。例えば、受信機システム１００とシステム１１０は統合され、図５を参照して以下に説明される。したがって、プロセッサ５０４、メインメモリ５０６、Ｉ／Ｏインタフェース５１２、ＲＯＭ５０８、電源ユニット５１４、電源回路５１４１、バッテリ５１４２、ネットワークインターフェース５１８、および記憶装置５１０は、などのシステム１１０のコンポーネントおよびサブコンポーネントおよび機能は、図５に関して以下で参照される。 
【００２２】
いくつかの実施形態では、受信機システム１００は、電圧整流器１０２に接続されたアンテナ１０１、ステートマシン１０３、メモリ１０４、および互いに結合された制御回路１０５を備えることができる。例えば図２に示すように、受信機システム１００の構成要素を結合する様々な方法があり得る。図２に示すように、アンテナ１０１は制御回路１０５と電圧整流器１０２に結合し電圧整流器１０２はステートマシン１０３に結合し、ステートマシン１０３はメモリ１０４に結合し、メモリ１０４は制御回路１０５に結合する。電圧整流器はメモリ１０４に結合し、メモリ１０４はステートマシン１０３に結合し、ステートマシン１０３は制御回路１０５に結合する。あるいは、受信機システム１００の構成要素は通信バスに結合することができる（例えば、有線または無線通信バス）。受信機システム１００は、オプションのの電源１０６（例えば、バッテリ）をさらに含み得る。例示的な実施形態では、受信機システム１００は受動装置として実施することができる。すなわち、受信機システム１００は電源１０６を含まず、それ自体の電源から電力を受け取る必要がない。受信機システム１００は、受信信号の電磁波からのみ電力を導出するように構成される。別の例示的な実施形態では、受信機システム１００は電源１０６を含み、受信信号の電磁波と電源１０６のみから電力を導出する。電源１０６から導出される電力は信号の受信を改善するためにのみ使用される。両方の実施形態において、受信機システム１００はシステム１１０から電力供給を受けない。 
【００２３】
いくつかの実施形態では、アンテナ１０１は、通信ノード、例えば無線送信機、基地局から、無線周波数（ＲＦ）信号などの特定の周波数範囲の信号を受信するように構成されてもよい。アンテナ１０１は、受信信号の電磁波によって励起されるように構成された非常に反応性の高いＲＦフロントエンド（例えば、１つまたは複数の誘導結合または容量結合コイル）とすることができる。受信した信号は、受信機システム１００の様々な構成要素に電力を供給することもできる。当業者であれば、受信システム１００が受信電磁波から誘導結合、磁気結合、高結合などの電力を無線で導出するための様々な方法を理解するであろう。電圧整流器１０２は、アンテナ１０１によって受信されたＲＦ信号をＤＣ電力に変換して受信機システム１００の他の構成要素に電力を供給するように構成された整流器回路を備えることができる。例えば、ＲＦ電界が通信ノードによって送信され、アンテナ１０１のコイルを通過するとき、ＡＣ電圧がコイルを横切って生成され得、そしてＡＣ電圧が整流されて受信機システム１００に電力を供給し得る。従って、アンテナ１０１、電圧整流器１０２、ステートマシン１０３、メモリ１０４、および／または制御回路１０５は、アクティブ電源（例えば、バッテリ、電源コンセントに接続されている場合は充電器など）によって電力を供給されなくてもよい。ＲＦＩＤにおける後方散乱とは異なり、信号はタグによって無線から受信され、タグを識別するためにタグによって無線に反射されるので、ここで反射を行う必要はなく、少なくとも反射伝送のための電力損失を防ぐことができる。 
【００２４】
ステートマシン１０３は、制御回路１０５のスイッチ動作など、受信機システム１００の１つまたは複数の構成要素を制御するように構成されたプロセッサを備えることができる。メモリ１０４は、ステートマシン１０３によって実行されたときに受信機システム１００の１つまたは複数の構成要素に本明細書に開示された方法を実行させる命令を格納する非一時的コンピュータ可読記憶媒体とすることができる。メモリ１０４はまた、以下に記載される識別子などの様々なデータまたは情報を記憶するように構成され得る。制御回路１０５は、図１に示す状態１と状態２のように、２つ以上の状態の間で切り替わるように構成されてもよい。制御回路１０５は、状態切り替えを実行するために１つ以上のトランジスタを含み得る。制御回路１０５は、状態切り替えを実行するために、端末／ＵＥ装置の様々な構成要素に結合してもよい。例えば、制御回路１０５は、ＵＥ装置の電力回路（例えば、電力回路５１４１）および１つまたは複数のバッテリ（例えば、バッテリ５１４２）を含む電力装置（例えば、電力装置５１４）に結合してもよい。制御回路１０５は、電源装置を介してＵＥ装置の電源制御を実行することができる。すなわち、制御回路１０５を切り替えることは、ＵＥデバイスを非スリープ（例えば、アクティブ）電力モード（例えば、ＵＥデバイスをスリープモードからアクティブ電力モードにウェイクアップさせる）または非アクティブ電力モードにすることができる（例えば、ＵＥデバイスを現在のスリープモードにすること）。非スリープ電力モードでは、ＵＥデバイスは、通常の機能を引き受け、通常の電力を消費し、データを送信または受信するために通常の動作方式で通信ネットワークにアクセスすることができる。スリープ電力モードでは、ＵＥデバイスは最小の（例えば、ゼロ）電力を消費し、通信ネットワークにアクセスしないことができる。ここで、通常電力と最小電力は、ＵＥ装置の様々な電力状態に対応する相対的な用語である。 
【００２５】
一例では、ステートマシン１０３は、電圧整流器１０２からのＤＣ電力をしきい値と比較することができる。ＤＣ電力が閾値よりも大きい場合、状態機械１０３は制御回路１０５を状態１に切り替える。さもないと、ステートマシン１０３は制御回路１０５を状態２に切り替える。スリープモードにあるＵＥデバイスの場合、状態１において、制御回路１０５は、ＵＥデバイスをスリープ電力モードから非スリープモード（例えば、アクティブ）である電力モードにウェイクアップせることができる。状態２において、制御回路１０５は、ＵＥデバイスをスリープ電力モードのままにしてもよい。任意選択的にまたは代替的に、制御回路１０５は、通信ノードが状態１と状態２の間で切り替えできるように、後方散乱信号を変調することができる。 
【００２６】
別の例では、ステートマシン１０３は、コントローラ機能を有する論理回路、例えば制御論理モジュールを含み得る。ステートマシン１０３は、受信した信号を復調するように構成されてもよい。制御論理モジュールは、アンテナ１０１によって受信された波形を復調し、受信信号の内容を復調するように構成された変調回路を含むことができる。受信した信号の内容は、過度の電力消費を伴う複雑な制御論理機能を回避するために単純かつ直接的であり得る。例えば、アンテナ１０１によって受信された信号および／または電圧整流器１０２によって変換されたＤＣ電力は、８桁、１６桁、またはＵＥ ＩＤもしくは一時的ＩＤの他のフォーマットに変換可能であり得る。ステートマシン１０３は、受信信号を復調および復号して、ＵＥまたは一時的なＩＤを取得することができる。次いで、ステートマシン１０３は、ＵＥ ＩＤまたは一時的ＩＤを、メモリ１０４に格納させ、受信機システム１００に関連付けられた端末デバイスに対応するデバイスＩＤと比較して、端末デバイスをウェイクアップするかどうかを判定することができる。
【００２７】
比較結果が一致した場合、ステートマシン１０３は、関連するＵＥデバイスをウェイクアップ/アクティブさせるように制御回路１０５を制御し、当該ＵＥデバイスを非スリープ（例えば、アクティブ）電力モードに切り替えさせることができる。比較結果が不一致である場合、ステートマシン１０３は、関連するＵＥデバイスをウェイクアップ/アクティブしないように制御回路１０５を制御し、ＵＥデバイスをスリープ電力モードに維持させることができる。 
【００２８】
したがって、受信機システム１００は、必要なとき（例えば、通信ノードがＵＥデバイスに信号を送信するとき）にのみＵＥデバイスをウェイクアップさせることができ、不必要なウェイクアップおよび電力消費を防止する。さらに、受信機システム１００は、到来する電磁波のみから電力を導出し、ＵＥデバイスからの電力を一切使用せずに接続されたＵＥデバイスをウェイクアップし、ＵＥデバイスのエネルギー節約を達成することができる。いくつかの他の実施形態では、受信機システム１００はまた、電源を備えてもよく、アクティブデバイスと呼ばれる常に自己給電式になってもよい。あるいは、受信機システム１００は電源を備え、信号が受信されると自己給電するようにしてもよい。受信機システム１００は受動的に、能動的に低電力であり得るが、ここでの議論は受動的に電力を供給されること、すなわち電磁波信号からのみ電力を導出すること、または低電力に焦点を合わせる。 
【００２９】
電気通信の様々な実施形態では、通信ノードからの送信信号は狭い周波数帯域（狭帯域ビーコン（ｂｅａｃｏｎ）と呼ばれる）を有することができる。狭帯域ビーコンは、拡張カバレッジのために高エネルギー集中を提供し、アイドルモードまたはスリープモードのＵＥによって検出され得る。そのような実装形態は、ブロードキャストタイプのオンデマンドアクセスには有効であるが、ブロードキャスト範囲内のすべてのＵＥの中で特定のＵＥをウェイクアップことはできない。本明細書に開示されているような受信機システム１００に対する改良を用いて（例えば、以下の図３を参照して）、これらの実施形態は、ＵＥ特有のオンデマンドアクセスシステムにおいて使用することができる。 
【００３０】
図３は、本発明の例示的実施形態と一致する、オンデマンドスアクセスのためのシステム２００を示すグラフ図である。システム２００はいくつかの構成要素を含むことができ、そのうちのいくつかは任意選択であり得る。いくつかの実施形態では、システム２００は、図３に示すものよりもはるかに多くの構成要素を含み得る。しかしながら、例示的な実施形態を開示するためにこれらの構成要素の全てが示されている必要はない。システム２００は、装置２０２〜２０４と無線通信する装置２０１を備えることができる。デバイス２０１は、無線データ送信機などの通信ノードを含み得る。デバイス２０２〜２０４は、携帯電話などの１つまたは複数のＵＥデバイスを含み得る。デバイス２０１は、様々なデバイス依存周波数または周波数の組み合わせを介してデバイス２０２〜２０４と通信することができる。図３に示すように、デバイスに依存する周波数または周波数の組み合わせは異なる色で表すことができる。装置２０２〜２０４はそれぞれ上記のシステム１００を含むことができ、システム２００は上記のＮＲシステムとして実施することができる。 
【００３１】
システム２００は、ＵＥ特有のオンデマンドアクセスをサポートすることができる。いくつかの実施形態では、複数のビーコンを用いた後方散乱の制御ロジックは、各ＵＥデバイスを、図２にかかるＵＥデバイスによって受信されたウェイクアップ信号に含まれるデバイス特有のビーコンの組み合わせと関連付けることである。ビーコンの組み合わせは図３において様々なカラーバンドとして示されている。一例では、通信ノードは複数のビーコンを送信する。各ビーコンは異なる周波数サブバンドにある。複数のビーコンが同じ時間間隔または異なる時間間隔で通信ノードから送信され得る。いくつかの実施形態では、ＵＥデバイスは、トリガ機能としてビーコンの選択された組合せを用いて通信ノード２０１によって構成される。すなわち、ＵＥデバイスは、２つ以上の周波数または周波数帯域に基づく固有の組み合わせに関連付けられてもよい。例えば、通信ノード２０１は、固有のＩＤとして各ＵＥデバイスにデバイス特有の周波数の組み合わせを割り当てる。別の例では、各ＵＥデバイスまたはステートマシンは、通信ノードから受信した信号に従って固有のIDを作成する。当該固有のＩＤを用いて、ＵＥデバイスは、ブロードキャスト信号からデバイス特有の信号を区別し、残りを無視することができる。対応して、ＵＥは、受信機システム１００がデバイス特有の組み合わせを検出した場合に限り、ステートマシン１０３がアイドル状態のＵＥをウェイクアップするように、そのエネルギー検出器、例えばステートマシン１０３を設定ビーコンの組み合わせに合わせることができる。 
【００３２】
ビーコン/周波数の組み合わせを使用する利点には、拡張されたカバレッジエリアと個々のデバイスのオンデマンドトリガーが含まれることができる。一例では、１０個のビーコンまたは通信周波数が通信ノードによって送信される場合、制御ロジックが１つの異なるビーコンまたは周波数を受信するように設計されている場合、システムは最大１０個のスリープモードデバイスをサポートする。制御ロジックが１０個のビーコンのうち２個の異なるビーコンの組み合わせを受信することができる場合、１０個のビーコンのうちの２個の４５個の異なる組み合わせがあるので、システムは最大４５個のスリープモードのＵＥデバイスをサポートすることができる。同様に、３つの異なるビーコンの組み合わせに対して、システムは１２０個のスリープモードのＵＥデバイスをサポートすることができる。システム２００によって開示されるように、ＵＥデバイスの制御ロジックはそれぞれ、デバイス特有のビーコン／周波数の組み合わせを受信することができる。システム２００のマルチビーコン後方散乱によるエネルギー検出は、ビーコンの正確なデバイス特有の組み合わせに対応する信号を検出することによって、ＵＥ特有のオンデマンドアクセスをサポートすることができる。したがって、システム２００は、通信帯域幅が提供された多数のＵＥデバイスに対するオンデマンドアクセスをサポートすることができる。 
【００３３】
図４Ａは、本発明の例示的実施形態と一致する、ネットワークオンデマンドスアクセス方法３００を示す流れ図である。図４Ａは、本開示の例示的実施形態による、ネットワークオンデマンドアクセス方法３００を示す流れ図である。 方法３００は以下のステップを含むことができ、それらのステップのうちのいくつかは任意選択であり得る。ステップの順序は他の順序で並べ替えてもよい。当該方法３００は、デバイス（例えば、システム１００、２００、もしくは５００、またはシステム１００および１１０）によって実施することができる。当該デバイスは携帯電話を含み得る。 
【００３４】
ステップ３０１において、システム１００、２００、または５００の１つまたは複数の構成要素（たとえば、アンテナ１０１）は、信号（たとえば、図１〜図３に係るウェイクアップ信号）を受信することができる。当該システムは、スリープ電力モードにある間に信号を受信することができる。いくつかの実施形態では、信号を受信することは、１つまたは複数の通信ノードから信号を受信することを含み得る。受信した信号は２つ以上の周波数または周波数帯域を含んでもよく、デバイスは２つ以上の周波数または周波数帯域に基づく固有の組み合わせに関連付けられる。 
【００３５】
ステップ３０２において、システム１００、２００、または５００の１つまたは複数の構成要素（例えば、電圧整流器１０２）は、受信したウェイクアップ信号から電力を導出することができる。例えば、アンテナ１０１は受信したウェイクアップ信号を電圧整流器１０２に送信し、当該電圧整流器１０２は受信した信号をＤＣ電力に変換して電力を状態機械１０３および制御回路に供給することができる。 
【００３６】
ステップ３０３において、システム１００、２００、または５００の１つまたは複数の構成要素（例えば、メモリ１０４および／またはステートマシン１０３（または代替的にはプロセッサ））は、受信したウェイクアップ信号がデバイスに対応するか否かを判定できる。図３を参照して上述したように、通信ノードは複数の周波数の信号をブロードキャストすることができ、それらの信号のうちのいくつかは１つのデバイスに対応し、そのうちのいくつかは別のデバイスに対応することができる。ステートマシン１０３は、受信したウェイクアップ信号から導出され、電圧整流器１０２によって変換された電力を少なくとも使用して判定を下す。いくつかの実施形態では、ステートマシン１０３は、判定を行うために、受信されたウェイクアップ信号から導出され電圧整流器１０２によって変換された電力のみを使用することができる。いくつかの実施形態では、ステートマシン１０３は他の電源からの電力も使用することができる。 
【００３７】
ステップ３０４において、システム１００、２００、または５００の１つまたは複数の構成要素（例えば、ステートマシン１０３またはプロセッサの制御下にある制御回路１０５））は、次のものに応答してもよい。いくつかの実施形態では、受信信号がデバイスに対応するという判定に応答して、デバイスを非スリープ電力モードに設定するための信号を送信することは、受信信号がデバイスに対応すると判定したことに応答して、デバイスをスリープ電力モードから非スリープ電力モードにウェイクアップさせることをさらに含んでもよい。前記ネットワークオンデマンドスアクセス方法は、受信された信号がデバイスに対応しないと判定したことに応答して、デバイスをスリープ電力モードにしたままにすることをさらに含むことができる。 
【００３８】
いくつかの実施形態では、システム１００は、受信した信号の電磁波のみから電力を導出するように構成されてもよく、デバイスは、受信した信号に基づいていかなる信号も反射しないようにしてもよい。言い換えれば、システム１００は、電源からの電力供給なしに、受信されたウェイクアップ信号から導出された電力のみを使用して上述のステップ３０１〜３０４を実行する。いくつかの他の実施形態では、システム１００は、電源からの電力供給なしに、受信されたウェイクアップ信号から導出された電力のみを使用して、ステップ３０１〜３０４のうちの１つまたは複数、たとえばステップ３０１〜３０３を実行し得る。
【００３９】
システム１００は、受信信号の電磁波と電源、例えばオプションの電源１０６とからのみ電力を導出するように構成されてもよく、電源から導出された電力は信号の受信にのみ使用されてもよい。前記デバイスは、受信した信号に基づいて信号を反射しなくてもよい。電源、例えばオプションの電源１０６は、受信したウェイクアップ信号がデバイスに対応するかどうかを判定するために１０ｄＢｍ未満の電源をステートマシン１０３に供給するように構成された低電源であり得る。別の実施形態では、電源は、受信したウェイクアップ信号がデバイスに対応するかどうかを判定するために、１ｄＢｍ未満の電源をステートマシン１０３に供給するように構成される。 
【００４０】
発明の一態様によれば、上記のステップ３０１〜３０４のうちの１つまたは複数、またはすべては、デバイスがスリープ電力モードにある間に実行される。 
【００４１】
いくつかの実施形態では、受信した信号が装置に対応するかどうかを判定することは、識別子に対応する１つまたは複数の周波数の組み合わせを取得するために受信した信号を復号すること、および取得された識別子を装置のメモリに格納されたされた１つまたは複数の識別子と比較することを含む。受信した信号がデバイスに対応すると判定することに応答して、デバイスを非スリープ電力モードに設定するための信号を送信することは、取得された識別子が１つまたは複数の格納されたされた識別子を含むことに応答して、信号を送信してデバイスを非スリープ電力モードに設定することを含み得る。 
【００４２】
図４Ｂは本発明の例示的実施形態と一致する、ネットワークオンデマンドスアクセス方法３５０を示す流れ図である。前記方法３５０法３５０は以下のステップを含むことができ、そのうちのいくつかは任意選択であり得る。これらのステップの順序は他の順序で並べ替えてもよい。前記方法３５０は、デバイス（例えば、システム１００、２００、もしくは５００、またはシステム１００および１１０）によって実施することができる。前記デバイスは携帯電話を含み得る。
【００４３】
ステップ３１１において、システム１００、２００、または５００のうちの１つまたは複数の構成要素は、デバイスがスリープ電力モードにある間に信号を受信することができる。 
【００４４】
ステップ３１２において、システム１００、２００、または５００の１つまたは複数の構成要素は、ＤＣ電力を導出するために受信した信号を整流することができる。
【００４５】
ステップ３１３で、システム１００、２００、または５００の１つまたは複数の構成要素は、導出されたＤＣ電力を使用して、受信した信号がいるデバイスに対応するかどうかを判定することができる。 
【００４６】
ステップ３１４で、システム１００、２００、または５００の１つまたは複数の構成要素は、受信した信号がデバイスに対応するとの判定に応答して、導出されたＤＣ電力を使用してデバイスをアクティブ電力モードに設定することができる。  
【００４７】
図４Cは、本発明の例示的実施形態と一致する、ネットワークオンデマンドスアクセス方法４００を示す流れ図である。前記方法４００方法は以下のステップを含むことができ、そのうちのいくつかは任意選択であり得る。それらのステップの順序は他の順序で並べ替えてもよい。前記方法４００は、デバイス（例えば、システム１００、２００、もしくは５００、またはシステム１００および１１０）によって実施することができる。前記デバイスは携帯電話を含み得る。 
【００４８】
ステップ４０１において、システム１００、２００、または５００の１つまたは複数の構成要素は、１つまたは複数の周波数を含む信号を受信することができる。例えば、アンテナ１０１は、２つ以上の周波数サブバンドを含むビーコン信号または周波数組み合わせ信号を受信してもよい。
【００４９】
ステップ４０２で、システム１００、２００、または５００の１つまたは複数の構成要素は、ＩＤを取得するために受信信号を復号することができる。例えば、ステートマシン１０３は受信した信号を復号してＩＤを取得してもよい。 
【００５０】
ステップ４０３で、システム１００、２００、または５００の１つまたは複数の構成要素は、取得されたＩＤを格納されているＩＤと比較することができる例えば、ステートマシン１０３は、取得されたＩＤを端末装置に関連付けられてメモリ１０４に格納されたＩＤと比較することができる。格納されたＩＤは、ステップ３０３の前に通信ノードおよび／または端末装置によって構成され得る。例えば、当該格納されたされたＩＤは周波数結合信号に対応し得る。
【００５１】
ステップ４０４において、システム１００、２００、または５００の１つまたは複数の構成要素は、取得されたＩＤが格納されたされたＩＤと一致すると判定したことに応答して端末装置をアクティブすることができる。例えば、方法３００を通して、端末装置はスリープモードにあることができ、取得されたＩＤが格納されたされたＩＤと一致するとステートマシンが判定した場合、ステートマシン１０３は端末装置をアクティブまたはウェイクアップすることができる。そうでなければ、端末装置はスリープモードのままであり得る。
【００５２】
スリープモードのＵＥデバイスのためのオンデマンドネットワークアクセスのためのシステム、方法、および装置が開示される。前記システムは、周波数結合信号との高い接続性を有するエリア内の高密度のＵＥデバイスをサポートすることができる。オンデマンドアクセスは、ＵＥデバイスがスリープモードに留まり、必要なときにだけウェイクアップすることを可能にするだろう。スリープモードは、ロングＤＲＸ構成におけるロングスリープモードを含むＤＲＸ構成におけるスリープモード、またはＵＥアクティブ状態におけるスリープモード（「マイクロスリープモード」とも呼ばれ得る）であり得る。後方散乱は、デバイ自体からの電力供給なしに、受信した信号の電磁波をＤＣ電力に変換してデバイのウェイクアップをトリガーすることができる。
【００５３】
図５は、本明細書に記載の実施形態のうちのいずれかを実施することができるシステム５００を示すブロック図であるシステム５００は、携帯電話、コンピュータ、パッド、ウェアラブル電子デバイスなどの様々なデバイスとして実装することができる。システム５００は、通信ネットワークへのオンデマンドアクセスを提供するために、バス５０２または情報を通信するための他の通信機構を含み、また、上記で説明されバス５０２と結合されるシステム１００を含む。システム５００はまた、情報を処理するためにバス５０２に結合された１つまたは複数のハードウェアプロセッサ５０４を含む。 ハードウェアプロセッサ５０４は、例えば、１つまたは複数の汎用マイクロプロセッサ、１つまたは複数の中央処理装置（ＣＰＵ）などとすることができる。例えば、システム５００は、携帯電話またはセンサとして実装することができ、プロセッサ（１つまたは複数の）５０４は、携帯電話またはセンサの様々な機能を制御するように構成され得る。 
【００５４】
システム５００はまた、プロセッサ５０２によって実行される情報および命令を記憶するためにバス５０２に結合された、ランダムアクセスメモリ（ＲＡＭ）、キャッシュ、および／または他の動的記憶装置などのメインメモリ５０６を含む。メインメモリ５０６はまた、プロセッサ５０４によって実行される命令の実行中に一時変数または他の中間情報を格納するために使用されてもよい。そのような命令は、プロセッサ５０４にアクセス可能な記憶媒体に格納されると、システム５００を命令で指定された動作を実行するようにカスタマイズされた特殊用途の機械にする。システム５００はさらに、静的情報およびプロセッサ５０４用の命令を格納するためにバス５０２に結合された読み出し専用メモリ（ＲＯＭ）５０８または他の静的記憶装置を含む。磁気ディスク、光ディスク、またはＵＳＢサムドライブ（フラッシュドライブ）などの記憶装置５１０などが提供され、情報および命令を記憶するためにバス５０２に結合される。 
【００５５】
システム５００は、カスタマイズされたハードワイヤードロジック、１つまたは複数のＡＳＩＣまたはＦＰＧＡ、ファームウェアおよび／またはプログラムロジックを使用して、本明細書に記載の技法を実装することができる。前記プログラムロジックとコンピュータシステムと組み合わせてシステム５００を専用機にするか、または、専用機にするようにプログラムする。一実施形態によれば、本明細書の技法は、メインメモリ５０６に含まれる１つまたは複数の命令の１つまたは複数のシーケンスを実行するプロセッサ５０４に応答してシステム５００によって実行される。このような命令は別の記憶媒体（例えば、記憶装置５１０）からメインメモリ５０６に読み込まれ得る。メインメモリ５０６に含まれる命令シーケンスの実行は、プロセッサ５０４に本明細書に記載の方法および／またはプロセスステップを実行させる。別の実施形態では、ソフトウェア命令の代わりにまたはそれと組み合わせてハードワイヤード回路を使用することができる。 
【００５６】
メインメモリ５０６、ＲＯＭ５０８、および／またはストレージ５１０は、非一時的コンピュータ可読記憶媒体を含むことができる。本明細書で使用される「非一時的媒体」という用語および類似の用語は、機械を特定の方法で動作させるデータおよび／または命令を格納する任意の媒体を指す。そのような非一時的媒体は、不揮発性媒体および／または揮発性媒体を含み得る。不揮発性媒体は、例えば、記憶装置５１０のような光ディスクまたは磁気ディスクを含む。揮発性媒体は、メインメモリ５０６のような動的メモリを含む。不揮発性媒体の一般的な形態は、例えば、フロッピーディスク、フレキシブルディスク、ハードディスク、ソリッドステートドライブ、磁気テープ、または他の任意の磁気データ記憶媒体、ＣＤ-ＲＯＭ、任意の他の光学データ記憶媒体、穴のパターンを有する任意の物理媒体、ＲＡＭ、ＰＲＯＭ、およびＥＰＲＯＭ、 FLASH-EPROM、NVRAM、その他のメモリチップまたはカートリッジ、およびそれらのネットワークバージョンを含む。 
【００５７】
コンピュータの記憶媒体の例は、相変化ＲＡＭ（Ｐｈａｓｅ−ｃｈａｎｇｅ ＲＡＭ，ＰＲＡＭ）、スタティックＲＡＭ（Ｓｔａｔｉｃ ＲＡＭ，ＳＲＡＭ）、動的ＲＡＭ（Ｄｙｎａｍｉｃ ＲＡＭ，ＤＲＡＭ）、他のタイプのランダムアクセスメモリ（ＲＡＭ）、読み出し専用メモリ（ＲＯＭ）を含むが、これらに限定されない。 ）、電気的消去可能プログラマブル読み取り専用メモリ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ，ＥＥＰＲＯＭ）、フラッシュメモリまたは他のメモリ技術、コンパクトディスク読み取り専用メモリ（Ｃｏｍｐａｃｔ Ｄｉｓｋ Ｒｅａｄ−Ｏｎｌｙ Ｍｅｍｏｒｙ，ＣＤ - ＲＯＭ）、デジタル多用途ディスク（Ｄｉｇｉｔａｌ Ｖｅｒｓａｔｉｌｅ Ｄｉｓｃ，ＤＶＤ）または他の光学メモリ、カセット、カセットおよびディスクメモリ、または計算装置にアクセス可能な情報を記憶するために使用することができる他の磁気メモリ装置または任意の他の非伝送媒体。したがって、コンピュータ可読媒体は、変調データ信号および搬送波などの一時的媒体を除外することができる。 
【００５８】
システム５００は、バス５０２に結合された通信インターフェース５１８も含む。通信インターフェース５１８は、１つまたは複数のローカルネットワークに接続されている１つまたは複数のネットワークリンクへの双方向データ通信結合を提供する。 例えば、通信インターフェース５１８は、対応するタイプの電話線へのデータ通信接続を提供するための総合デジタル通信網（Ｉｎｔｅｇｒａｔｅｄ Ｓｅｒｖｉｃｅｓ Ｄｉｇｉｔａｌ Ｎｅｔｗｏｒｋ，ＩＳＤＮ）カード、衛星チップ、またはモデムであり得る。通信インターフェース５１８は、無線通信リンク（例えば、４Ｇ、５Ｇ、ＬＴＥ、無線など）を実装することができる。任意のそのような実施形態では、通信インターフェース５１８は、様々な種類の情報を表すデジタルデータストリームを搬送する電気信号、電磁気信号、または光信号を送受信する。 
【００５９】
システム５００は、Ｉ／Ｏインターフェース５１２（例えば、キーボード、タッチスクリーン、液晶ディスプレイ、スピーカ、マイクロフォンなど）をさらに含むことができる。 Ｉ／Ｏインターフェース５１２は、外部環境から捕捉されたデータを入力すること、および／またはシステム５００からデータを出力することができる。システム５００は、ネットワーク、少なくとも１つのネットワークリンク、Ｉ／Ｏを通してメッセージを送信し、プログラムコードを含むデータを受信することができる。インターネットの例では、サーバは、インターネット、ＩＳＰ、ローカルネットワーク、および通信インタフェース５１８を介してアプリケーションプログラムの要求されたコードを送信することができる。受信されたコードは、プロセッサ５０４によって以下のように実行され得る。それは受信され、および／または後で実行するために記憶装置５１０または他の不揮発性記憶装置に格納される。
【００６０】
システム５００は、電源ユニット５１４をさらに含むことができる。システム５００は、電源ユニット５１４をさらに含むことができる。電源ユニット５１４は、電源回路５１４１と、バッテリの１つまたは複数の構成要素に電力を供給するように構成された１つまたは複数のバッテリ５１４２（例えばリチウムイオンバッテリバッテリ）とを含むことができる。電源回路５１４１は、１つまたは複数のバッテリ５１４２およびシステム１００の制御回路１０５に結合することができる。バッテリ５１４２からの電力の供給は電力回路５１４１によって調整することができることを当業者は理解するであろう。電源回路５１４１は、（制御回路１０５を介して）上述のプロセッサ５０４および／またはステートマシン１０３によって制御することができる。例えば、１つまたは複数のプロセッサ５０４は、システム５００が予め設定された時間を超えて動作しない場合、電力を抑制し、システム５００をアイドルモードに設定して電力をほとんどまたはまったく消費しない。システム５００が再び操作されたときに、システム５００を、通常の速度で電力を消費するアクティブモードに設定することができる。別の例では、上述のように、ステートマシン１０３は、システム１００によって受信された信号に応じて、システム５００をスリープ電力モードからウェイクアップさせ、またはシステム５００をスリープ電力モードにしておくことができる。これによって、入ってくる通信の受信を確実にしながら、電力消費を最小にする。
【００６１】
別々のユニットとして示されているが、システム１００の様々な構成要素はまた、システム５００の他の構成要素に統合されてもよい。例えば、１つ以上のプロセッサ５０４またはその一部は、ステートマシン１０３を含んでもよい。メインメモリ５０６、ＲＯＭ５０８、および記憶装置５１０はメモリ１０４を含むことができ、通信インターフェース５１８はアンテナ１０１および電圧整流器１０２などを含むことができる。 
【００６２】
前のセクションで説明した各プロセス、方法、およびアルゴリズムは、１つまたは複数のコンピュータシステムまたはコンピュータハードウェアを含むコンピュータプロセッサによって実行されるコードモジュールで実施し、完全または部分的に自動化することができる。プロセスおよびアルゴリズムは、部分的または全体的に特定用途向け回路で実施することができる。 
【００６３】
上記で説明した様々な特徴およびプロセスは、互いに無関係に使用することができ、あるいは様々な方法で組み合わせることができる。全ての可能な組み合わせおよびサブコンビネーションは、本開示の範囲内に入ることを意図している。さらに、いくつかの実装形態では、特定の方法またはプロセスブロックを省略することができる。本明細書に記載の方法およびプロセスもまた、特定の順序に限定されず、それに関連するブロックまたは状態は適切な他の順序で実行することができる。例えば、説明されたブロックまたは状態は、具体的に開示されたもの以外の順序で実行されてもよく、または複数のブロックまたは状態は単一のブロックまたは状態に組み合わされてもよい。例示的なブロックまたは状態は、直列に、並列に、または他の何らかの方法で実行され得る。ブロックまたは状態は、開示されている例示的な実施形態に追加または削除されてもよい。本明細書に記載の例示的なシステムおよび構成要素は、説明したものとは異なるように構成することができる。例えば、開示された例示的な実施形態に要素を追加し、削除し、または再配置することができる。 
【００６４】
本明細書に記載の例示的な方法の様々な動作は、一時的に（例えばソフトウェアによって）構成された、または関連する動作を実行するように恒久的に構成された１つまたは複数のプロセッサによって少なくとも部分的に実行され得る。一時的または恒久的に構成されているかどうかにかかわらず、そのようなプロセッサは、本明細書で説明される１つまたは複数の動作または機能を実行するように動作するプロセッサ実装エンジンを構成し得る。 
【００６５】
同様に、本明細書で説明されている方法は、少なくとも部分的にプロセッサ実装され得、特定の１つまたは複数のプロセッサがハードウェアの例である。例えば、方法の動作のうちの少なくともいくつかは、１つまたは複数のプロセッサまたはプロセッサ実装エンジンによって実行され得る。さらに、１つまたは複数のプロセッサはまた、「クラウドコンピューティング」環境において、または「サービスとしてのソフトウェア」（ＳａａＳ）として、関連する動作の実行をサポートするように動作し得る。例えば、動作の少なくともいくつかは、（プロセッサを含む機械の例として）一群のコンピュータによって実行されてもよく、これらの動作は、ネットワーク（例えばインターネット）を介して及び１つ以上の適切なインタフェース（例えば アプリケーションプログラムインタフェース（ＡＰＩ））。
【００６６】
特定の操作のパフォーマンスは、単一のマシン内に存在するだけでなく、複数のマシンにまたがって配置されているプロセッサー間で分散させることができる。いくつかの例示的実施形態では、プロセッサまたはプロセッサ実装エンジンは、単一の地理的位置（例えば、家庭環境、オフィス環境、またはサーバファーム内）に配置されてもよい。他の例示的実施形態では、プロセッサまたはプロセッサ実装エンジンは、いくつかの地理的場所にわたって分散させることができる。 
【００６７】
本明細書を通して、複数のインスタンスが、単一のインスタンスとして説明されたコンポーネント、動作、または構造を実装することができる。１つまたは複数の方法の個々の動作は別々の動作として図示および説明されているが、１つまたは複数の個々の動作は同時に実行されてもよく、動作が図示の順序で実行される必要はない。例示的な構成において別々の構成要素として提示された構造および機能は、組み合わされた構造または構成要素として実装され得る。同様に、単一の構成要素として提示された構造および機能は、別々の構成要素として実装されてもよい。これらおよび他の変形、修正、追加、および改良は、本明細書の主題の範囲内に含まれる。
【００６８】
本明細書に記載および／または添付の図面に示す流れ図中の任意のプロセス説明、要素、またはブロックは、潜在的にモジュール、セグメント、または１つまたは複数の実行可能命令を含むコードの一部を表すものとして理解されるべきである。プロセス内の特定の論理機能またはステップを実装する。当業者によって理解されるように、本明細書に記載の実施形態の範囲内に含まれる機能に応じて、実質的に同時または逆の順序で、要素または機能を削除し、図示または説明した順序と異なる順序で実行することもできる。 
【００６９】
本明細書で使用されるとき、用語「または」は、包括的または排他的のいずれかの意味で解釈され得る。さらに、本明細書で単一のインスタンスとして説明されているリソース、動作、または構造のために複数のインスタンスを提供することができる。さらに、様々なリソース、動作、エンジン、およびデータストア間の境界ははっきりしておらず、特定の動作は特定の例示的な構成の文脈で示されている。機能の他の割り当ても想定されており、本開示の様々な実施形態の範囲内にあり得る。一般に、例示的な構成において別々のリソースとして提示された構造および機能は、組み合わされた構造またはリソースとして実装され得る。同様に、単一のリソースとして提示された構造および機能は、別々のリソースとして実装されてもよい。これらおよび他の変形形態、修正形態、追加形態、および改良形態は、添付の特許請求の範囲によって表される本開示の実施形態の範囲内に含まれる。したがって、明細書および図面は、限定的な意味ではなく例示的な意味で見なされるべきである。 
【００７０】
特に明記しない限り、または使用される文脈内で他に理解されていない限り、とりわけ、「する」、「できる」、「可能」、「可」は、特定の実施形態は、特定の特徴、要素、および／またはステップを含まないが、含まないことを伝える。したがって、そのような条件付き言語は、一般に、特徴、要素および／またはステップが、１つまたは複数の実施形態に何らかの形で必要であること、または１つまたは複数の実施形態がユーザ入力ありまたはなしで、これらの特徴、要素および／またはステップは含まれるか、または任意の特定の実施形態において実行されるべきである。 
【００７１】
特定の例示的な実施形態を参照して主題の概要を説明したが、本開示のより広い範囲の実施形態から逸脱することなく、これらの実施形態に様々な修正および変更を加えることができる。主題のこのような実施形態は、単に便宜上、そして実際には１つより多い場合には任意の単一の開示または概念に自発的に限定することを意図することなく、用語「発明」によって個々にまたは集合的に本明細書で言及され得る。 
【００７２】
本明細書に例示された実施形態は、当業者が開示された教示を実施することを可能にするために十分に詳細に記載されている。本開示の範囲から逸脱することなく構造的および論理的な置換および変更を行うことができるように、他の実施形態を使用し、そこから導き出すことができる。したがって、詳細な説明は限定的な意味で解釈されるべきではなく、様々な実施形態の範囲は添付の特許請求の範囲とそのような特許請求の範囲が権利を与える等価物の全範囲によってのみ定義される。
【図１】
2019535152.tif 000003
【図２】
2019535152.tif 000004
【図３】
2019535152.tif 000005
【図４Ａ】
2019535152.tif 000006
【図４Ｂ】
2019535152.tif 000007
【図４Ｃ】
2019535152.tif 000008
【図５】
2019535152.tif 000009
【手続補正書】
【提出日】平成31年3月13日(2019.3.13)
【手続補正１】
【補正対象書類名】明細書
【補正対象項目名】０００８
【補正方法】変更
【補正の内容】
【０００８】
いくつかの実施形態では、ネットワークオンデマンドスアクセスデバイスは、信号を受信するように構成されたアンテナと、受信した前記信号から電力を導出するように構成された整流回路と、受信した前記信号が前記デバイスに対応するかどうかを判定する論理回路と、受信した前記信号が前記デバイスに対応するという判定に応答して、前記デバイスをアクティブモードに設定するように構成された制御回路とを備える。
【手続補正２】
【補正対象書類名】明細書
【補正対象項目名】００５０
【補正方法】変更
【補正の内容】
【００５０】
ステップ４０３で、システム１００、２００、または５００の１つまたは複数の構成要素は、取得されたＩＤを格納されているＩＤと比較することができる例えば、ステートマシン１０３は、取得されたＩＤを端末装置に関連付けられてメモリ１０４に格納されたＩＤと比較することができる。格納されたＩＤは、ステップ４０３の前に通信ノードおよび／または端末装置によって構成され得る。例えば、当該格納されたされたＩＤは周波数結合信号に対応し得る。
【手続補正３】
【補正対象書類名】明細書
【補正対象項目名】００５１
【補正方法】変更
【補正の内容】
【００５１】
ステップ４０４において、システム１００、２００、または５００の１つまたは複数の構成要素は、取得されたＩＤが格納されたされたＩＤと一致すると判定したことに応答して端末装置をアクティブすることができる。例えば、方法４００を通して、端末装置はスリープモードにあることができ、取得されたＩＤが格納されたされたＩＤと一致するとステートマシンが判定した場合、ステートマシン１０３は端末装置をアクティブまたはウェイクアップすることができる。そうでなければ、端末装置はスリープモードのままであり得る。
【手続補正４】
【補正対象書類名】特許請求の範囲
【補正対象項目名】全文
【補正方法】変更
【補正の内容】
【特許請求の範囲】
【請求項１】
前記デバイスのアンテナによりウェイクアップ信号を受信することと、
受信した前記ウェイクアップ信号から電力を導出することと、
受信した前記ウェイクアップ信号が前記デバイスに対応するかどうかを判定することと、
受信した前記ウェイクアップ信号が前記デバイスに対応するという判定に応答して、前記デバイスをアクティブ電力モードに設定することとを備え、
前記判定には、少なくとも受信した前記ウェイクアップ信号から導出された前記電力が使用されることを特徴とするデバイスによって実行可能なネットワークオンデマンドアクセス方法。
【請求項２】
前記受信した電力及び前記導出された電力は、前記デバイスがスリープ電力モードにある間に実行されることを特徴とする請求項１に記載のデバイスによって実行可能なネットワークオンデマンドアクセス方法。
【請求項３】
受信した前記ウェイクアップ信号が前記デバイスに対応するかどうかを判定することは、
前記ウェイクアップ信号から識別コードを取得することと、
前記ウェイクアップ信号から取得された識別コードを前記デバイスの識別コードと比較することと、
取得された識別コードが前記デバイスの識別コードと一致する場合、受信した前記ウェイクアップ信号が前記デバイスに対応すると判定することとを備えることを特徴とする請求項１に記載のデバイスによって実行可能なネットワークオンデマンドアクセス方法。
【請求項４】
前記ウェイクアップ信号から識別コードを取得することは、復号化受信した前記ウェイクアップ信号を復号して１つまたは複数の周波数の組み合わせを取得し、組み合わせごとに１つの識別コードに対応することを備えることを特徴とする請求項３に記載のデバイスによって実行可能なネットワークオンデマンドアクセス方法。
【請求項５】
受信した前記ウェイクアップ信号から前記電力を導出することは、受信した前記ウェイクアップ信号をＤＣ電力に変換することと、
前記ＤＣ電力をしきい値と比較し、前記ＤＣ電力が前記しきい値を超えるという判定に応答して、前記ウェイクアップ信号が前記デバイスに対応すると判定することとを備えることを特徴とする請求項１に記載のデバイスによって実行可能なネットワークオンデマンドアクセス方法。
【請求項６】
受信した前記ウェイクアップ信号から電力を導出することは、
受信した前記ウェイクアップ信号をＤＣ電力に変換し、受信した前記ウェイクアップ信号が前記デバイスに対応するかどうかを判定するために、ＤＣ電力を論理回路に印加するすることを備えることを特徴とする請求項１に記載のデバイスによって実行可能なネットワークオンデマンドアクセス方法。
【請求項７】
前記デバイスをアクティブ電力モードに設定するために電源から電力を供給することを特徴とする請求項１に記載のデバイスによって実行可能なネットワークオンデマンドアクセス方法。
【請求項８】
受信した前記ウェイクアップ信号が前記デバイスに対応するかどうかを判定することは、
受信した前記ウェイクアップ信号が前記デバイスに対応するかどうかを判定することを備え、
前記判定には、電源からの電力供給なしに受信した前記ウェイクアップ信号から導出された前記電力が使用され、
または、
受信した前記ウェイクアップ信号が前記デバイスに対応するかどうかを判定することは、受信した前記ウェイクアップ信号が前記デバイスに対応するかどうかを判定することを備え、
前記判定には、少なくとも受信した前記ウェイクアップ信号から導出された前記電力と１０ｄＢｍ未満の電源が使用され、
または、
受信した前記ウェイクアップ信号が前記デバイスに対応するかどうかを判定することは、受信した前記ウェイクアップ信号が前記デバイスに対応するかどうかを判定することを備え、
前記判定には、少なくとも受信した前記ウェイクアップ信号から導出された前記電力と１ｄＢｍ未満の電源が使用されることを特徴とする請求項１に記載のデバイスによって実行可能なネットワークオンデマンドアクセス方法。
【請求項９】
信号を受信するように構成されたアンテナと、
受信した前記信号から電力を導出するように構成された整流回路と、
受信した前記信号が前記デバイスに対応するかどうかを判定する論理回路と、
受信した前記信号が前記デバイスに対応するという判定に応答して、前記デバイスをアクティブモードに設定するように構成された制御回路とを備えることを特徴とするデバイス。
【請求項１０】
受信した前記信号から電力を導出するするために、前記整流回路は、受信した前記信号をＤＣ電力に変換するように構成されることを特徴とする請求項９に記載のデバイス。
【請求項１１】
前記論理回路は、前記デバイスがスリープモードにある間に受信した前記信号が前記デバイスに対応するかどうかを判定するように構成されることを特徴とする請求項９に記載のデバイス。
【請求項１２】
受信した前記信号が前記デバイスに対応するかどうかを判定するために、前記論理回路は次のように構成され、
前記信号から識別コードを取得し、
前記信号から取得された識別コードを前記デバイスの識別コードと比較し、
取得された前記識別コードが前記デバイスの識別コードと一致する場合、受信した前記信号が前記デバイスに対応すると判定することを特徴とする請求項９に記載のデバイス。
【請求項１３】
前記論理回路はさらに、受信した前記信号が前記デバイスに対応するかどうかを判定するために前記整流回路からのみ電力を導出するように構成されることを特徴とする請求項９に記載のデバイス。
【請求項１４】
受信した前記信号が前記デバイスに対応するかどうかを判定するために、前記論理回路に１０ｄＢｍ未満を供給するように構成された電源をさらに備えることを特徴とする請求項９に記載のデバイス。
【請求項１５】
前記制御回路は、前記デバイスをアクティブモードに設定するために前記整流回路からのみ電力を導出するように構成されることを特徴とする請求項９に記載のデバイス。
【国際調査報告】
2019535152.tif 000010
2019535152.tif 000011